(57)【特許請求の範囲】
【請求項１】
主体を含み、前記主体の上側には濾過空間が設置され、前記濾過空間の底壁には前後対称の二つの支持ブロックが固定的に設置され、二つの前記支持ブロックの間には濾過漏斗が回転できるように設置され、前記支持ブロックの中には前記濾過漏斗を回転させて取り外すことができる制御機構が設置され、前記濾過漏斗の中には液体濾過空間が設置され、前記液体濾過空間の上側には入口と出口とが連通するように設置され、前記液体濾過空間の底壁には濾過網が取り付けられ、前記濾過空間の底壁には収集碗が置かれることができ、煎じかすが前記濾過網の濾過を通じて薬液を生成し前記収集碗に落ちることができ、前記主体の中には作動空間が設置され、前記作動空間と前記濾過空間とが連通しており、前記濾過漏斗が回転した後に濾過されたかすを前記作動空間に入れることができ、前記濾過空間の左側には移動空間が連通するように設置され、前記移動空間が前記主体の中に位置しており、前記移動空間の中には濾過漏斗を回転させて叩くことができる補助機構が設置され、
前記作動空間の中には濾過ブロックが設置され、前記作動空間の左側にはスライド空間が連通するように設置され、前記スライド空間の内壁の間には密封ブロックがスライドできるように設置され、前記密封ブロックが前記作動空間の中に移動でき、また前記濾過ブロックによりかすを前記作動空間の中に密封でき、前記スライド空間の下側には動力空間が設置され、前記動力空間の中には前記濾過漏斗の回転と、スライド箱の左右へのスライド及び前記密封ブロックの左右へのスライドを制御できる動力機構が設置され、前記作動空間の右側には矩形空間が設置され、前記矩形空間の内壁の間には圧着ブロックがスライドできるように設置され、前記矩形空間の中には前記圧着ブロックをプッシュし左へ移動させ、且つかすを押して第二回の薬液収集を行うことができる圧着機構が設置されていることを特徴とする漢方内科に基づいた薬液と煎じかすの回収処理装置。
【請求項２】
前記制御機構は前記濾過漏斗の前後両側面に対称に固定的に設置された二つの第一スプラインスリーブを含み、二つの前記支持ブロックにおいて互いに近接した側面にはいずれも第一スプライン軸が回転できるように設置され、後側に位置した前記第一スプライン軸において後ろに延びた部分が後側に位置した前記支持ブロックを貫通しており、また後側に位置した前記第一スプライン軸の後側面には制限ブロックが固定的に設置され、前記制限ブロックの前側面と後側の前記支持ブロックの後側面との間には第一ばねが取り付けられ、前側に位置した前記支持ブロックの中にはウォームホイール空間が設置され、前側に位置した前記第一スプライン軸の前へ延びた部分が前記ウォームホイール空間の中に延在し、前側に位置した前記第一スプライン軸の前側面にはウォームホイールが固定的に設置され、前記ウォームホイール空間の頂壁にはウォームが回転できるように設置され、前記ウォームホイールと前記ウォームとが噛み合っており、二つの前記第一スプライン軸がそれぞれ二つの前記第一スプラインスリーブの中に挿入されることができ、前記第一スプライン軸と前記第一スプラインスリーブのとがスプラインにより連結されていることを特徴とする請求項１に記載の漢方内科に基づいた薬液と煎じかすの回収処理装置。
【請求項３】
前記補助機構は前記移動空間の左壁に固定的に設置された第一モータを含み、前記第一モータの右側には第二スプライン軸が伝動できるように連結され、前記スライド箱の中には連結空間が設置され、前記第二スプライン軸において右へ延びた部分が前記スライド箱の内壁と前記連結空間とを貫通しており、前記連結空間の左壁には第二スプラインスリーブが回転できるように設置され、前記第二スプラインスリーブと前記第二スプライン軸とがスプラインにより連結され、前記スライド箱の前側面には回転軸が回転できるように設置され、前記回転軸の外周には輪盤が固定的に設置され、前記輪盤の外周には均一に配置された六つの第二ばねが取り付けられ、前記第二ばねのもう一つの側にはいずれもぶつかりボールが取り付けられ、前記回転軸において後へ延びた部分が前記連結空間の中に延在し、且つ前記回転軸の後側面には第一傘歯車が固定的に設置され、前記第二スプラインスリーブの外周には第二傘歯車が固定的に設置され、前記第二傘歯車と前記第一傘歯車とが噛み合っていることを特徴とする請求項１に記載の漢方内科に基づいた薬液と煎じかすの回収処理装置。
【請求項４】
前記動力機構は前記動力空間の底壁に固定的に設置された第二モータを含み、前記ウォームにおいて下へ延びた部分が前記支持ブロックの内壁と前記主体の内壁とを貫通しており、且つ前記動力空間の中に延在し、また前記ウォームの底面と前記第二モータとが伝動できるように連結され、前記動力空間の中に位置した前記ウォームの外周には第一プーリーが固定的に設置され、前記移動空間の下側には方形空間が連通するように設置され、前記方形空間の後壁には短軸が回転できるように設置され、前記短軸の外周には歯車と第三傘歯車とが固定的に設置され、前記第三傘歯車が前記歯車の前側に位置しており、前記スライド箱の下側面には歯が付いており、前記歯車と前記スライド箱の下側面とが噛み合っており、前記方形空間と前記動力空間との間の内壁の中には縦軸が回転できるように設置され、前記縦軸において上へ延びた部分が前記方形空間の中に延在し、且つ前記縦軸の頂面には第四傘歯車が固定的に設置され、前記第四傘歯車と前記第三傘歯車とが噛み合っており、前記縦軸が下へ前記動力空間の中に延在し、且つ前記縦軸の底面には第二プーリーが固定的に設置され、前記第二プーリーと前記第一プーリーとの間には第一ベルトが取り付けられていることを特徴とする請求項１に記載の漢方内科に基づいた薬液と煎じかすの回収処理装置。
【請求項５】
前記スライド空間の左側には歯車空間が連通するように設置され、前記歯車空間の左壁には第一ねじ棒が回転できるように設置され、前記密封ブロックの中には円柱空間が設置され、前記第一ねじ棒において右へ延びた部分が前記スライド空間の中に延在し、且つ前記円柱空間の中に延在し、また前記第一ねじ棒と前記密封ブロックとがねじ山により連結され、前記歯車空間の中において前記第一ねじ棒の外周には第五傘歯車が固定的に設置され、前記歯車空間と前記動力空間との間の内壁の中には伝動軸が回転できるように設置され、前記伝動軸において上へ延びた部分が前記歯車空間の中に延在し、且つ前記伝動軸の頂面には第六傘歯車が固定的に設置され、前記第六傘歯車と前記第五傘歯車とが噛み合っており、前記伝動軸において下へ延びた部分が前記動力空間の中に延在し、且つ前記伝動軸の底面には第三プーリーが固定的に設置され、前記動力空間の中において前記ウォームの外周には第四プーリーが固定的に設置され、前記第四プーリーが前記第一プーリーの下側に位置しており、前記第四プーリーと前記第三プーリーとの間には第二ベルトが取り付けられていることを特徴とする請求項４に記載の漢方内科に基づいた薬液と煎じかすの回収処理装置。
【請求項６】
前記圧着機構は前記矩形空間の上下両側壁の間に左右にスライドできるように設置された前記圧着ブロックを含み、前記矩形空間の後壁には第三モータが固定的に設置され、前記第三モータの前側には従動軸が伝動できるように連結され、前記従動軸の前側面には従動輪が固定的に設置され、前記従動輪の前側面と前記圧着ブロックの右側面との間には連結ロッドがヒンジにより連結されていることを特徴とする請求項１に記載の漢方内科に基づいた薬液と煎じかすの回収処理装置。
【請求項７】
前記作動空間の上側には後方に開口した加熱空間が連通するように設置され、前記加熱空間の左右両側にはいずれも加熱層が設置され、前記加熱空間の頂壁にはファン軸が回転できるように設置され、前記ファン軸の外周には対称の二つの羽根が固定的に設置され、前記加熱空間の上側にはベルト空間が設置され、前記ファン軸において上へ延びた部分が前記ベルト空間の中に延在し、且つ前記ファン軸の頂面には第五プーリーが固定的に設置され、前記ベルト空間と前記矩形空間との間の内壁の中には長軸が回転できるように設置され、前記長軸において上へ延びた部分が前記ベルト空間の中に延在し、且つ前記長軸の頂面には第六プーリーが固定的に設置され、前記第六プーリーと前記第三ベルトとの間には第三ベルトが取り付けられ、前記長軸において下へ延びた部分が前記矩形空間の中に延在し、且つ前記長軸の底面には第七傘歯車が固定的に設置され、前記従動軸の外周には第八傘歯車が固定的に設置され、前記第八傘歯車と前記第七傘歯車とが噛み合っていることを特徴とする請求項６に記載の漢方内科に基づいた薬液と煎じかすの回収処理装置。
【請求項８】
前記長軸の左側には収納空間が連通するように設置され、前記収納空間が前記スライド空間の下側に位置しており、前記濾過ブロックが前記収納空間の上下壁の間に左右にスライドできるように設置され、前記濾過ブロックの左側面には横軸が固定的に設置され、前記横軸において左へ延びた部分が前記主体の内壁を貫通しており、また外部まで延びており、また前記横軸の左側面には手回し輪が固定的に設置され、前記長軸の下側には下方に開口した排出口が連通するように設置されていることを特徴とする請求項７に記載の漢方内科に基づいた薬液と煎じかすの回収処理装置。
【発明の詳細な説明】
【技術分野】
【０００１】
本発明は漢方内科技術分野を取り上げて、具体的には漢方内科に基づいた薬液と煎じかすの回収処理装置である。
【背景技術】
【０００２】
漢方は中国の伝統的な医学であり、多くの患者は依然として漢方薬を選んで病気を治療し、現在、漢方薬を製造するとき、自然状態で薬液を濾過した後、煎じかすがゴミとして捨てられるが、かすの中には薬液がまで残されているため、かすとともに捨てられたら薬資源の浪費になり、また、濾過全体が人力で操作され、濾過の効果を保証できなく、人力コストもかかり、さらに、薬液の濾過が不完全だと、薬効が低下する。他にも、煎じかすも漢方薬の一種として一定の薬性を持っているため、直接廃棄してはいけなく、リサイクルし再利用できる。例えば足を洗ったり、花に肥料を与えたりすることに用いられる。
【先行技術文献】
【特許文献】
【０００３】
【特許文献１】中国特許出願公開第１０７９９７９６４号明細書
【発明の概要】
【発明が解決しようとする課題】
【０００４】
本発明の目的は漢方内科に基づいた薬液と煎じかすの回収処理装置を提供し、それは上記の現在の技術中の問題を解決できる。
【課題を解決するための手段】
【０００５】
本願発明の実施例の漢方内科に基づいた薬液と煎じかすの回収処理装置は、主体を含み、前記主体の上側には濾過空間が設置され、前記濾過空間の底壁には前後対称の二つの支持ブロックが固定的に設置され、二つの前記支持ブロックの間には濾過漏斗が回転できるように設置され、前記支持ブロックの中には前記濾過漏斗を回転させて取り外すことができる制御機構が設置され、前記濾過漏斗の中には液体濾過空間が設置され、前記液体濾過空間の上側には入口と出口とが連通するように設置され、前記液体濾過空間の底壁には濾過網が取り付けられ、前記濾過空間の底壁には収集碗が置かれることができ、煎じかすが前記濾過網の濾過を通じて薬液を生成し前記収集碗に落ちることができ、前記主体の中には作動空間が設置され、前記作動空間と前記濾過空間とが連通しており、前記濾過漏斗が回転した後に濾過されたかすを前記作動空間に入れることができ、前記濾過空間の左側には移動空間が連通するように設置され、前記移動空間が前記主体の中に位置しており、前記移動空間の中には濾過漏斗を回転させて叩くことができる補助機構が設置され、前記作動空間の中には濾過ブロックが設置され、前記作動空間の左側にはスライド空間が連通するように設置され、前記スライド空間の内壁の間には密封ブロックがスライドできるように設置され、前記密封ブロックが前記作動空間の中に移動でき、また前記濾過ブロックによりかすを前記作動空間の中に密封でき、前記スライド空間の下側には動力空間が設置され、前記動力空間の中には前記濾過漏斗の回転と、スライド箱の左右へのスライド及び前記密封ブロックの左右へのスライドを制御できる動力機構が設置され、前記作動空間の右側には矩形空間が設置され、前記矩形空間の内壁の間には圧着ブロックがスライドできるように設置され、前記矩形空間の中には前記圧着ブロックをプッシュし左へ移動させ、且つかすを押して第二回の薬液収集を行うことができる圧着機構が設置されている。
【０００６】
さらなる技術プラン、前記制御機構は前記濾過漏斗の前後両側面に対称に固定的に設置された二つの第一スプラインスリーブを含み、二つの前記支持ブロックにおいて互いに近接した側面にはいずれも第一スプライン軸が回転できるように設置され、後側に位置した前記第一スプライン軸において後ろに延びた部分が後側に位置した前記支持ブロックを貫通しており、また後側に位置した前記第一スプライン軸の後側面には制限ブロックが固定的に設置され、前記制限ブロックの前側面と後側の前記支持ブロックの後側面との間には第一ばねが取り付けられ、前側に位置した前記支持ブロックの中にはウォームホイール空間が設置され、前側に位置した前記第一スプライン軸の前へ延びた部分が前記ウォームホイール空間の中に延在し、前側に位置した前記第一スプライン軸の前側面にはウォームホイールが固定的に設置され、前記ウォームホイール空間の頂壁にはウォームが回転できるように設置され、前記ウォームホイールと前記ウォームとが噛み合っており、二つの前記第一スプライン軸がそれぞれ二つの前記第一スプラインスリーブの中に挿入されることができ、前記第一スプライン軸と前記第一スプラインスリーブのとがスプラインにより連結されている。
【０００７】
さらなる技術プラン、前記補助機構は前記移動空間の左壁に固定的に設置された第一モータを含み、前記第一モータの右側には第二スプライン軸が伝動できるように連結され、前記スライド箱の中には連結空間が設置され、前記第二スプライン軸において右へ延びた部分が前記スライド箱の内壁と前記連結空間とを貫通しており、前記連結空間の左壁には第二スプラインスリーブが回転できるように設置され、前記第二スプラインスリーブと前記第二スプライン軸とがスプラインにより連結され、前記スライド箱の前側面には回転軸が回転できるように設置され、前記回転軸の外周には輪盤が固定的に設置され、前記輪盤の外周には均一に配置された六つの第二ばねが取り付けられ、前記第二ばねのもう一つの側にはいずれもぶつかりボールが取り付けられ、前記回転軸において後へ延びた部分が前記連結空間の中に延在し、且つ前記回転軸の後側面には第一傘歯車が固定的に設置され、前記第二スプラインスリーブの外周には第二傘歯車が固定的に設置され、前記第二傘歯車と前記第一傘歯車とが噛み合っている。
【０００８】
さらなる技術プラン、前記動力機構は前記動力空間の底壁に固定的に設置された第二モータを含み、前記ウォームにおいて下へ延びた部分が前記支持ブロックの内壁と前記主体の内壁とを貫通しており、且つ前記動力空間の中に延在し、また前記ウォームの底面と前記第二モータとが伝動できるように連結され、前記動力空間の中に位置した前記ウォームの外周には第一プーリーが固定的に設置され、前記移動空間の下側には方形空間が連通するように設置され、前記方形空間の後壁には短軸が回転できるように設置され、前記短軸の外周には歯車と第三傘歯車とが固定的に設置され、前記第三傘歯車が前記歯車の前側に位置しており、前記スライド箱の下側面には歯が付いており、前記歯車と前記スライド箱の下側面とが噛み合っており、前記方形空間と前記動力空間との間の内壁の中には縦軸が回転できるように設置され、前記縦軸において上へ延びた部分が前記方形空間の中に延在し、且つ前記縦軸の頂面には第四傘歯車が固定的に設置され、前記第四傘歯車と前記第三傘歯車とが噛み合っており、前記縦軸が下へ前記動力空間の中に延在し、且つ前記縦軸の底面には第二プーリーが固定的に設置され、前記第二プーリーと前記第一プーリーとの間には第一ベルトが取り付けられている。
【０００９】
さらなる技術プラン、前記スライド空間の左側には歯車空間が連通するように設置され、前記歯車空間の左壁には第一ねじ棒が回転できるように設置され、前記密封ブロックの中には円柱空間が設置され、前記第一ねじ棒において右へ延びた部分が前記スライド空間の中に延在し、且つ前記円柱空間の中に延在し、また前記第一ねじ棒と前記密封ブロックとがねじ山により連結され、前記歯車空間の中において前記第一ねじ棒の外周には第五傘歯車が固定的に設置され、前記歯車空間と前記動力空間との間の内壁の中には伝動軸が回転できるように設置され、前記伝動軸において上へ延びた部分が前記歯車空間の中に延在し、且つ前記伝動軸の頂面には第六傘歯車が固定的に設置され、前記第六傘歯車と前記第五傘歯車とが噛み合っており、前記伝動軸において下へ延びた部分が前記動力空間の中に延在し、且つ前記伝動軸の底面には第三プーリーが固定的に設置され、前記動力空間の中において前記ウォームの外周には第四プーリーが固定的に設置され、前記第四プーリーが前記第一プーリーの下側に位置しており、前記第四プーリーと前記第三プーリーとの間には第二ベルトが取り付けられている。
【００１０】
さらなる技術プラン、前記圧着機構は前記矩形空間の上下両側壁の間に左右にスライドできるように設置された前記圧着ブロックを含み、前記矩形空間の後壁には第三モータが固定的に設置され、前記第三モータの前側には従動軸が伝動できるように連結され、前記従動軸の前側面には従動輪が固定的に設置され、前記従動輪の前側面と前記圧着ブロックの右側面との間には連結ロッドがヒンジにより連結されている。
【００１１】
さらなる技術プラン、前記作動空間の上側には後方に開口した加熱空間が連通するように設置され、前記加熱空間の左右両側にはいずれも加熱層が設置され、前記加熱空間の頂壁にはファン軸が回転できるように設置され、前記ファン軸の外周には対称の二つの羽根が固定的に設置され、前記加熱空間の上側にはベルト空間が設置され、前記ファン軸において上へ延びた部分が前記ベルト空間の中に延在し、且つ前記ファン軸の頂面には第五プーリーが固定的に設置され、前記ベルト空間と前記矩形空間との間の内壁の中には長軸が回転できるように設置され、前記長軸において上へ延びた部分が前記ベルト空間の中に延在し、且つ前記長軸の頂面には第六プーリーが固定的に設置され、前記第六プーリーと前記第三ベルトとの間には第三ベルトが取り付けられ、前記長軸において下へ延びた部分が前記矩形空間の中に延在し、且つ前記長軸の底面には第七傘歯車が固定的に設置され、前記従動軸の外周には第八傘歯車が固定的に設置され、前記第八傘歯車と前記第七傘歯車とが噛み合っている。
【００１２】
さらなる技術プラン、前記長軸の左側には収納空間が連通するように設置され、前記収納空間が前記スライド空間の下側に位置しており、前記濾過ブロックが前記収納空間の上下壁の間に左右にスライドできるように設置され、前記濾過ブロックの左側面には横軸が固定的に設置され、前記横軸において左へ延びた部分が前記主体の内壁を貫通しており、また外部まで延びており、また前記横軸の左側面には手回し輪が固定的に設置され、前記長軸の下側には下方に開口した排出口が連通するように設置されている。
【発明の効果】
【００１３】
本願発明の有益的な効果は：本願発明は漢方内科における漢方薬の煎じかす処理に用いることができ、漢方薬を煎じ上げた後に十分に濾過でき、かすの中に残った薬液を浪費しなく、薬液を完全に濾過した後、かすを乾燥し圧着して塊状にさせられ、足を洗ったり花に肥料を与えたりすることに用いられ、かすの利用率を大幅に向上させ、制御機構がかすと薬液を濾過でき、また濾過漏斗を回転させてかすを作動空間に送り、また濾過漏斗を取り外して洗浄でき、補助機構は濾過網を叩くことでかすの排出に便利を与え、動力機構はスライド箱の左右移動と、濾過漏斗の回転及び密封ブロックの左右移動を制御でき、圧着機構はかすを圧着でき、羽根と加熱層は熱風を生成しかすを乾燥できる。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本願発明の内部全体構造概略図
【図２】図２は本願発明のスライド箱の内部構造概略図
【図３】図３は本願発明の図１のＡ―Ａ方向の局部概略図
【図４】図４は本願発明の図１のＢ―Ｂ方向の局部概略図
【図５】図５は本願発明の図１のＣ―Ｃ方向の局部概略図
【発明を実施するための形態】
【００１６】
図１〜５を参照し、本願発明の実施例の漢方内科に基づいた薬液と煎じかすの回収処理装置は、主体１１を含み、前記主体１１の上側には濾過空間８８が設置され、前記濾過空間８８の底壁には前後対称の二つの支持ブロック３０が固定的に設置され、二つの前記支持ブロック３０の間には濾過漏斗２５が回転できるように設置され、前記支持ブロック３０の中には前記濾過漏斗２５を回転させて取り外すことができる制御機構１０１が設置され、前記濾過漏斗２５の中には液体濾過空間２７が設置され、前記液体濾過空間２７の上側には入口２６と出口２８とが連通するように設置され、前記液体濾過空間２７の底壁には濾過網２９が取り付けられ、前記濾過空間８８の底壁には収集碗３１が置かれることができ、煎じかすが前記濾過網２９の濾過を通じて薬液を生成し前記収集碗３１に落ちることができ、前記主体１１の中には作動空間４８が設置され、前記作動空間４８と前記濾過空間８８とが連通しており、前記濾過漏斗２５が回転した後に濾過されたかすを前記作動空間４８に入れることができ、前記濾過空間８８の左側には移動空間１２が連通するように設置され、前記移動空間１２が前記主体１１の中に位置しており、前記移動空間２５の中には濾過漏斗２５を回転させて叩くことができる補助機構１０２が設置され、前記作動空間４８の中には濾過ブロック５９が設置され、前記作動空間４８の左側にはスライド空間４６が連通するように設置され、前記スライド空間４６の内壁の間には密封ブロック４７がスライドできるように設置され、前記密封ブロック４７が前記作動空間４８の中に移動でき、また前記濾過ブロック５９によりかすを前記作動空間４８の中に密封でき、前記スライド空間４６の下側には動力空間３２が設置され、前記動力空間３２の中には前記濾過漏斗２５の回転と、スライド箱９９の左右へのスライド及び前記密封ブロック４７の左右へのスライドを制御できる動力機構１０３が設置され、前記作動空間４８の右側には矩形空間６５が設置され、前記矩形空間６５の内壁の間には圧着ブロック５８がスライドできるように設置され、前記矩形空間６５の中には前記圧着ブロック５８をプッシュし左へ移動させ、且つかすを押して第二回の薬液収集を行うことができる圧着機構１０４が設置されている。
【００１７】
前記制御機構１０１は前記濾過漏斗２５の前後両側面に対称に固定的に設置された二つの第一スプラインスリーブ７９を含み、二つの前記支持ブロック３０において互いに近接した側面にはいずれも第一スプライン軸７８が回転できるように設置され、後側に位置した前記第一スプライン軸７８において後ろに延びた部分が後側に位置した前記支持ブロック３０を貫通しており、また後側に位置した前記第一スプライン軸７８の後側面には制限ブロック８０が固定的に設置され、前記制限ブロック８０の前側面と後側の前記支持ブロック３０の後側面との間には第一ばね８１が取り付けられ、前側に位置した前記支持ブロック３０の中にはウォームホイール空間７６が設置され、前側に位置した前記第一スプライン軸７８の前へ延びた部分が前記ウォームホイール空間７６の中に延在し、前側に位置した前記第一スプライン軸７８の前側面にはウォームホイール７７が固定的に設置され、前記ウォームホイール空間７６の頂壁にはウォーム３７が回転できるように設置され、前記ウォームホイール７７と前記ウォーム３７とが噛み合っており、二つの前記第一スプライン軸７８がそれぞれ二つの前記第一スプラインスリーブ７９の中に挿入されることができ、前記第一スプライン軸７８と前記第一スプラインスリーブ７９のとがスプラインにより連結され、前記制限ブロック８０を後ろへ引くことにより、前記濾過漏斗２５を二つの前記第一スプライン軸７８の間に取り付けることができ、前記ウォーム３７の回転により、前側に位置した前記第一スプライン軸７８に前記濾過漏斗２５を回転させることができる。
【００１８】
前記補助機構１０２は前記移動空間１２の左壁に固定的に設置された第一モータ１３を含み、前記第一モータ１３の右側には第二スプライン軸１４が伝動できるように連結され、前記スライド箱９９の中には連結空間６９が設置され、前記第二スプライン軸１４において右へ延びた部分が前記スライド箱９９の内壁と前記連結空間６９とを貫通しており、前記連結空間６９の左壁には第二スプラインスリーブ７０が回転できるように設置され、前記第二スプラインスリーブ７０と前記第二スプライン軸１４とがスプラインにより連結され、前記スライド箱９９の前側面には回転軸１８が回転できるように設置され、前記回転軸１８の外周には輪盤１５が固定的に設置され、前記輪盤１５の外周には均一に配置された六つの第二ばね１７が取り付けられ、前記第二ばね１７のもう一つの側にはいずれもぶつかりボール１６が取り付けられ、前記回転軸１８において後へ延びた部分が前記連結空間６９の中に延在し、且つ前記回転軸１８の後側面には第一傘歯車７２が固定的に設置され、前記第二スプラインスリーブ７０の外周には第二傘歯車７１が固定的に設置され、前記第二傘歯車７１と前記第一傘歯車７２とが噛み合っており、前記第一モータ１３の作動により、前記第二スプラインスリーブ７０を回転させることができ、それにより前記回転軸１８を回転させることができ、それにより前記輪盤１５に前記ぶつかりボール１６を回転させることができ、濾過漏斗２５が時計回りに九十度回転するとき、前記スライド箱９９が最右側に移動し、前記輪盤１５が回転し前記ぶつかりボール１６に前記濾過網２９を叩かせることができ、それにより前記液体濾過空間２７の中のかすを振動させることができ、それによりかすを前記作動空間４８に落ちやすいようにさせる。
【００１９】
前記動力機構１０３は前記動力空間３２の底壁に固定的に設置された第二モータ３８を含み、前記ウォーム３７において下へ延びた部分が前記支持ブロック３０の内壁と前記主体１１の内壁とを貫通しており、且つ前記動力空間３２の中に延在し、また前記ウォーム３７の底面と前記第二モータ３８とが伝動できるように連結され、前記動力空間３２の中に位置した前記ウォーム３７の外周には第一プーリー３５が固定的に設置され、前記移動空間１２の下側には方形空間１９が連通するように設置され、前記方形空間１９の後壁には短軸２２が回転できるように設置され、前記短軸２２の外周には歯車２０と第三傘歯車２１とが固定的に設置され、前記第三傘歯車２１が前記歯車２０の前側に位置しており、前記スライド箱９９の下側面には歯が付いており、前記歯車２０と前記スライド箱９９の下側面とが噛み合っており、前記方形空間１９と前記動力空間３２との間の内壁の中には縦軸２４が回転できるように設置され、前記縦軸２４において上へ延びた部分が前記方形空間１９の中に延在し、且つ前記縦軸２４の頂面には第四傘歯車２３が固定的に設置され、前記第四傘歯車２３と前記第三傘歯車２１とが噛み合っており、前記縦軸２４が下へ前記動力空間３２の中に延在し、且つ前記縦軸２４の底面には第二プーリー３３が固定的に設置され、前記第二プーリー３３と前記第一プーリー３５との間には第一ベルト３４が取り付けられ、前記第二モータ３８の作動により、前記ウォーム３７を回転させることができ、それにより前記第一ベルト３４を伝動させることができ、それにより前記縦軸２４を回転させることができ、それにより前記短軸２２を回転させることができ、それにより前記歯車２０を回転させて前記スライド箱９９を左右にスライドさせることができる。
【００２０】
前記スライド空間４６の左側には歯車空間４２が連通するように設置され、前記歯車空間４２の左壁には第一ねじ棒４５が回転できるように設置され、前記密封ブロック４７の中には円柱空間８７が設置され、前記第一ねじ棒４５において右へ延びた部分が前記スライド空間４６の中に延在し、且つ前記円柱空間８７の中に延在し、また前記第一ねじ棒４５と前記密封ブロック４７とがねじ山により連結され、前記歯車空間４２の中において前記第一ねじ棒４５の外周には第五傘歯車４３が固定的に設置され、前記歯車空間４２と前記動力空間３２との間の内壁の中には伝動軸４１が回転できるように設置され、前記伝動軸４１において上へ延びた部分が前記歯車空間４２の中に延在し、且つ前記伝動軸４１の頂面には第六傘歯車４４が固定的に設置され、前記第六傘歯車４４と前記第五傘歯車４３とが噛み合っており、前記伝動軸４１において下へ延びた部分が前記動力空間３２の中に延在し、且つ前記伝動軸４１の底面には第三プーリー４０が固定的に設置され、前記動力空間３２の中において前記ウォーム３７の外周には第四プーリー３６が固定的に設置され、前記第四プーリー３６が前記第一プーリー３５の下側に位置しており、前記第四プーリー３６と前記第三プーリー４０との間には第二ベルト３９が取り付けられ、前記ウォーム３７の回転により前記第二ベルト３９を伝動させることができ、それにより前記伝動軸４１を回転させることができ、それにより前記第一ねじ棒４５を回転させることができ、それにより前記密封ブロック４７を左右に移動させることができ、前記濾過漏斗２５が時計回りに九十度回転するとき、前記密封ブロック４７が左に移動し作動空間４８を開ける。
【００２１】
前記圧着機構１０４は前記矩形空間６５の上下両側壁の間に左右にスライドできるように設置された前記圧着ブロック５８を含み、前記矩形空間６５の後壁には第三モータ７３が固定的に設置され、前記第三モータ７３の前側には従動軸６７が伝動できるように連結され、前記従動軸６７の前側面には従動輪６６が固定的に設置され、前記従動輪６６の前側面と前記圧着ブロック５８の右側面との間には連結ロッド６８がヒンジにより連結され、前記第三モータ７３の作動により、前記従動軸６７に前記従動輪６６を回転させることができ、それにより前記圧着ブロック５８に間欠的に左へスライドさせて前記作動空間４８の中のかすを圧着させることができ、それによりかすから再び薬液を濾過させることができる。
【００２２】
前記作動空間４８の上側には後方に開口した加熱空間５７が連通するように設置され、前記加熱空間５７の左右両側にはいずれも加熱層５６が設置され、前記加熱空間５７の頂壁にはファン軸５４が回転できるように設置され、前記ファン軸５４の外周には対称の二つの羽根５５が固定的に設置され、前記加熱空間５７の上側にはベルト空間５０が設置され、前記ファン軸５４において上へ延びた部分が前記ベルト空間５０の中に延在し、且つ前記ファン軸５４の頂面には第五プーリー５３が固定的に設置され、前記ベルト空間５０と前記矩形空間６５との間の内壁の中には長軸４９が回転できるように設置され、前記長軸４９において上へ延びた部分が前記ベルト空間５０の中に延在し、且つ前記長軸４９の頂面には第六プーリー５１が固定的に設置され、前記第六プーリー５１と前記第三ベルト５２との間には第三ベルト５２が取り付けられ、前記長軸４９において下へ延びた部分が前記矩形空間６５の中に延在し、且つ前記長軸４９の底面には第七傘歯車７５が固定的に設置され、前記従動軸６７の外周には第八傘歯車７４が固定的に設置され、前記第八傘歯車７４と前記第七傘歯車７５とが噛み合っており、前記従動軸６７の回転により前記長軸４９を回転させることができ、それにより前記第三ベルト５２を伝動させ、前記第三ベルト５２に前記ファン軸５４を回転させることができ、それにより前記羽根５５を回転させることができ、また前記加熱層５６の加熱作用を通じて、前記長軸４９の中に熱風を送ることができ、それにより圧着されたかすを塊状にさせるように乾燥できる。
【００２３】
前記長軸４９の左側には収納空間６１が連通するように設置され、前記収納空間６１が前記スライド空間４６の下側に位置しており、前記濾過ブロック５９が前記収納空間６１の上下壁の間に左右にスライドできるように設置され、前記濾過ブロック５９の左側面には横軸６２が固定的に設置され、前記横軸６２において左へ延びた部分が前記主体１１の内壁を貫通しており、また外部まで延びており、また前記横軸６２の左側面には手回し輪６３が固定的に設置され、前記長軸４９の下側には下方に開口した排出口６０が連通するように設置され、前記排出口６０を通じて第二回に濾過された薬液を収集でき、また手動で前記手回し輪６３を左へ回すことにより前記濾過ブロック５９を左へ作動空間４８を開け、それにより乾燥されたかすを取り出せる。
【００２４】
使用するとき、第一モータ１３の作動により、第二スプラインスリーブ７０を回転させることができ、それにより回転軸１８を回転させることができ、それにより輪盤１５にぶつかりボール１６を回転させることができ、濾過漏斗２５が時計回りに九十度回転するとき、スライド箱９９が最右側に移動し、輪盤１５が回転しぶつかりボール１６に濾過網２９を叩かせることができ、それにより液体濾過空間２７の中のかすを振動させることができ、それによりかすを作動空間４８に落ちやすいようにさせ、第二モータ３８の作動により、ウォーム３７を回転させることができ、それにより第一ベルト３４を伝動させることができ、それにより縦軸２４を回転させることができ、それにより短軸２２を回転させることができ、それにより歯車２０を回転させてスライド箱９９を左右にスライドさせることができ、制限ブロック８０を後ろへ引くことにより、濾過漏斗２５を二つの第一スプライン軸７８の間に取り付けることができ、ウォーム３７の回転により、前側に位置した第一スプライン軸７８に濾過漏斗２５を回転させることができ、ウォーム３７の回転により第二ベルト３９を伝動させることができ、それにより伝動軸４１を回転させることができ、それにより第一ねじ棒４５を回転させることができ、それにより密封ブロック４７を左右に移動させることができ、濾過漏斗２５が時計回りに九十度回転するとき、密封ブロック４７が左に移動し作動空間４８を開け、第三モータ７３の作動により、従動軸６７に従動輪６６を回転させることができ、それにより圧着ブロック５８に間欠的に左へスライドさせて作動空間４８の中のかすを圧着させ、それによりかすから再び薬液を濾過させることができ、従動軸６７の回転により長軸４９を回転させることができ、それにより第三ベルト５２を伝動させ、第三ベルト５２にファン軸５４を回転させることができ、それにより羽根５５を回転させることができ、また加熱層５６の加熱作用を通じて、長軸４９の中に熱風を送ることができ、それにより圧着されたかすを塊状にさせるように乾燥でき、排出口６０を通じて二回に濾過された薬液を収集でき、また手動で手回し輪６３を左へ回すことにより濾過ブロック５９を左へ作動空間４８を開け、それにより乾燥されたかすを取り出せる。
【００２５】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
0006940729.tif 000002
【図２】
0006940729.tif 000003
【図３】
0006940729.tif 000004
【図４】
0006940729.tif 000005
【図５】
0006940729.tif 000006